(57)【特許請求の範囲】
【請求項１】
出力される音声の再生状態を設定する音声出力制御装置であって、
複数の音声情報を記憶する音声情報記憶手段と、
前記音声情報記憶手段に記憶された情報をもとに所定の信号変換内容で再生信号を生成する情報信号変換手段と、
前記再生信号を増幅する増幅手段と、
前記増幅手段により増幅された信号を音声に変換する音声変換手段と、
前記情報信号変換手段の動作を初期化するための初期化信号と、前記情報信号変換手段の前記所定の信号変換内容を設定する設定コマンドとを出力して前記情報信号変換手段を制御する変換制御手段と、
前記設定コマンドに対応する設定値を選択して特定する設定情報変更手段と、
特定した前記設定値を記憶する設定情報記憶手段と、
前記設定値の選択状況を画面表示する設定画面生成手段と
を備え、
前記変換制御手段が、前記設定値の選択に同期して前記初期化信号と前記選択された設定値に対応する設定コマンドとを前記情報信号変換手段に出力し、該情報信号変換手段が逐次入力する前記設定コマンドに基づく信号変換内容で再生信号を生成することを特徴とする音声出力制御装置。
【請求項２】
前記設定コマンドが前記音声の音量を設定する設定コマンドであることを特徴とする請求項１記載の音声出力制御装置。
【請求項３】
前記設定コマンドが前記音声の音質を設定する設定コマンドであることを特徴とする請求項１記載の音声出力制御装置。
【請求項４】
前記増幅手段の信号増幅率が固定されていることを特徴とする請求項１記載の音声出力制御装置。
【請求項５】
前記設定コマンドが前記音声の周波数成分を設定する設定コマンドであることを特徴とする請求項１記載の音声出力制御装置。
【請求項６】
前記設定コマンドが前記音声のフォルマント成分を選択して設定する設定コマンドであることを特徴とする請求項５記載の音声出力制御装置。
【請求項７】
前記設定画面生成手段で表示される設定画面上に複数の設定項目の選択状況を表示させ、同一の選択手段で各設定項目を変更可能に構成したことを特徴とする請求項１記載の音声出力制御装置。
【請求項８】
前記変換制御手段は設定情報比較手段を有し、選択される前記設定値と所定の記憶データとの比較結果に基づいて該設定値に対応する設定コマンドを前記情報信号変換手段に出力することを特徴とする請求項１記載の音声出力制御装置。
【請求項９】
前記設定画面生成手段で表示される設定画面上に、出力される音声の特性に関連した画像を表示することを特徴とする請求項１記載の音声出力制御装置。
【発明の詳細な説明】
【０００１】
【発明の属する技術分野】
本発明は、音声出力制御装置に関し、特にビデオテープレコーダ（以下ＶＴＲと称す）、テレビション、衛星放送チューナ等の映像関連機器に設けられる操作確認用の音声を調整可能とする音声出力制御装置に関する。
【０００２】
【従来の技術】
従来、ＶＴＲやオーディオビジュアル機器などのユーザーによって操作される機器には、操作が確実に行なわれたことを確認する確認音や操作方法を解説する操作ガイド音声などの音量を調節できる機能が設けられている場合がある。例えば、特開平６−４４４９３号公報には、車両用経路誘導装置に用いられたものが公開されている。
【０００３】
図２２は、従来の音声出力制御装置６１の構成を示すブロック図である。同図において、音声メモリ６２は、確認音としての音声データをディジタル信号で記憶し、Ｄ／Ａ変換回路６３は、音声メモリ６２から確認音の音声データを読み込んでアナログ信号に変換する。増幅回路６４は、Ｄ／Ａ変換回路６３から出力される確認音信号を増幅し、増幅したこの確認音信号を音声に変換するスピーカ１に出力する。
【０００４】
マイクロコンピュータ（以下、マイコンと称す）６５は、音声出力制御装置６１のシステム全体を制御する。Ｄ／Ａ変換回路６３に対しては制御信号ＤＡＣＯを出力し、音声メモリ６２に記憶されている音声データの中から特定の音声データの呼出しや、指定した音声データをＤ／Ａ変換して出力する出力タイミングの指示などを行なう。また、増幅回路６４に対しては、ボリウム制御信号ＶＯＣＯを出力し、増幅回路６４の増幅率を制御してスピーカ１の音声出力を調整する。
【０００５】
設定メモリ６６は、マイコン６５による設定情報を記憶する。操作スイッチ７は操作情報をマイコン６５に対して出力し、リモコン受信回路２は、ユーザーが図示しないリモコンを操作することによって送信される送信信号８を受信し、その受信情報をマイコン６５に伝える。マイコン６５内の経過時間判定部６５ａは、操作スイッチ７の操作又はリモコン（図示せず）の操作時の経過時間を判定する。
【０００６】
映像信号処理回路３は、外部機器等から入力する映像信号を信号処理して表示制御回路４に出力し、キャラクタメモリ６は、設定画面を生成するための表示キャラクタを記憶する。表示制御回路４は、マイコン６５から受ける表示制御信号ＤＩＣＯの指令に基づいて、映像信号とキャラクタメモリ６から読み込んで生成した設定画面とを切換え、これらの画像信号を映像信号出力端子５に接続された図示しないモニター機器に出力する。
【０００７】
以上の構成において、その動作を説明する。
ユーザーが、操作スイッチ７又はリモコン（図示せず）の操作によって設定画面表示のコマンドをマイコン６５に送ると、マイコン６５は、表示制御信号ＤＩＣＯにより表示制御回路４を制御して映像信号出力端子５から出力される画像信号の内容を切換える。即ち表示制御回路４が、映像信号処理回路３から入力する映像信号に換えて、キャラクタメモリ６から読み込んで生成した設定画面を画像信号として出力する。従って、このときこの映像信号出力端子５に接続された図示しないモニター機器には、設定画面が映し出される。
【０００８】
この設定画面には操作確認音又は案内音の設定項目が設定され、ユーザーはリモコン或いは操作スイッチ７によってこれらの項目を選択し、更に各音の音量を選択的に設定する。そして、ユーザーがリモコンで選択終了のコマンドを送るか、或いはマイコン６５の経過時間判定部６５ａが、所定時間この選択動作が行なわれないことを検出すると、音声メモリ６２から所定のディジタル音声データを読み出すための制御信号ＤＡＣＯをＤ／Ａ変換回路６３に出力し、更に、ユーザーが選択した音量レベルに設定するためのボリウム制御信号ＶＯＣＯを増幅回路６４に送る。
【０００９】
これにより、Ｄ／Ａ変換回路６３は、音声メモリ６２から読み込んだディジタル音声データをアナログ音声信号に変換して増幅回路６４に出力し、一方増幅回路６４では、ボリウム制御信号ＶＯＣＯに基づいて入力したアナログ音声信号を増幅し、スピーカ１から出力される音声の音量を調整する。
【００１０】
ユーザーは、この時の再生音の音量レベルが不満の場合、操作確認音が鳴り終わってから再び設定画面にて音量の選択を行ない、希望の音量になるまで以上の選択操作を繰り返す。最後にユーザーが、設定終了のコマンドをリモコンから送信すると、最終的に設定された音量設定内容が設定メモリ６６の音量設定記憶部６６ａに記憶され、以後の操作確認音や案内音が、この音量設定内容に従った音量で鳴らされる。
【００１１】
以上のように、従来の音声出力制御装置６１では、リモコンや操作スイッチ７を使って、モニター機器に表示された設定画面上で、音声メモリ６２に記憶された操作確認音や案内音の再生音量を調整できる。また、選択中に所定時間操作が行われない状態とすることで、そのときの設定内容に従った音量で発音された確認音を聴いて確認することができる。
【００１２】
【発明が解決しようとする課題】
しかしながら、図２２に示す従来の音声出力制御装置では、選択中に所定時間が経過した後に発音させていたため、確認音を聴くまでの待機時間が生じて操作性が低下するという問題があった。また、言語発音のような発音時間の長いフレーズを確認音に用いると、選択途中に一連の発音が鳴り終わるまで待つ必要があった。
【００１３】
本発明の目的は、設定画面で操作確認音や案内音の鳴らし方を選択して設定する場合、不要な待ち時間を排除し、速やかな設定作業を可能とする音声出力制御装置を提供することにある。
【００１４】
【課題を解決するための手段】
請求項１の音声出力制御装置は、出力される音声の再生状態を設定する音声出力制御装置であって、複数の音声情報を記憶する音声情報記憶手段と、前記音声情報記憶手段に記憶された情報をもとに所定の信号変換内容で再生信号を生成する情報信号変換手段と、前記再生信号を増幅する増幅手段と、前記増幅手段により増幅された信号を音声に変換する音声変換手段と、前記情報信号変換手段の動作を初期化するための初期化信号と、前記情報信号変換手段の前記所定の信号変換内容を設定する設定コマンドとを出力して前記情報信号変換手段を制御する変換制御手段と、前記設定コマンドに対応する設定値を選択して特定する設定情報変更手段と、特定した前記設定値を記憶する設定情報記憶手段と、前記設定値の選択状況を画面表示する設定画面生成手段とを備え、
前記変換制御手段が、前記設定値の選択に同期して前記初期化信号と前記選択された設定値に対応する設定コマンドとを前記情報信号変換手段に出力し、該情報信号変換手段が逐次入力する前記設定コマンドに基づく信号変換内容で再生信号を生成することを特徴とする。
【００１５】
請求項２の音声出力制御装置は、請求項１記載の音声出力制御装置において、前記設定コマンドが前記音声の音量を設定する設定コマンドであることを特徴とする。
請求項３の音声出力制御装置は、請求項１記載の音声出力制御装置において、前記設定コマンドが前記音声の音質を設定する設定コマンドであることを特徴とする。
請求項４の音声出力制御装置は、請求項１記載の音声出力制御装置において、前記増幅手段の信号増幅率が固定されていることを特徴とする。
【００１６】
請求項５の音声出力制御装置は、請求項１記載の音声出力制御装置において、前記設定コマンドが前記音声の周波数成分を設定する設定コマンドであることを特徴とする。
請求項６の音声出力制御装置は、請求項５記載の音声出力制御装置において、前記設定コマンドが前記音声のフォルマント成分を選択して設定する設定コマンドであることを特徴とする。
請求項７の音声出力制御装置は、請求項１記載の音声出力制御装置において、前記設定画面生成手段で表示される設定画面上に複数の設定項目の選択状況を表示させ、同一の選択手段で各設定項目を変更可能に構成したことを特徴とする。
【００１７】
請求項８の音声出力制御装置は、請求項１記載の音声出力制御装置において、前記変換制御手段は設定情報比較手段を有し、選択される前記設定値と所定の記憶データとの比較結果に基づいて該設定値に対応する設定コマンドを前記情報信号変換手段に出力することを特徴とする。
請求項９の音声出力制御装置は、請求項１記載の音声出力制御装置において、前記設定画面生成手段で表示される設定画面上に、出力される音声の特性に関連した画像を表示することを特徴とする。
【００１８】
【発明の実施の形態】
実施の形態１．
図１は、本発明による実施の形態１の音声出力制御装置２１の構成を示すブロック図である。
【００１９】
同図において、音声情報記憶手段としての音声メモリ１１は、確認音となる音声データをディジタル信号で記憶し、Ｄ／Ａ変換回路１２は、音声メモリ１１から確認音の音声データを読み込み、アナログ信号に変換する。増幅手段である増幅回路１３は、Ｄ／Ａ変換回路１２から出力される再生信号としての確認音信号を増幅し、増幅したこの確認信号を音声に変換する音声変換手段のスピーカ１に出力する。
【００２０】
マイコン１４は、音声出力制御装置２１のシステム全体を制御する。Ｄ／Ａ変換回路１２に対してはＤ／Ａ変換制御信号ＤＡＣＯを出力し、音声メモリ１１に記憶されている音声データの中から特定の音声データの呼出しや、指定した音声データをＤ／Ａ変換して出力する出力レベルの設定及びその出力タイミングの指示などを行うと共に、Ｄ／Ａ変換回路１２による変換動作のリセットを行うための初期化信号であるイニシャライズ信号ＩＮＩＴを出力する。
【００２１】
設定メモリ１５は、マイコン１４による設定情報を記憶する設定情報記憶手段であり、設定メモリ１５内部の音量設定記憶部１５ａは、特に音量設定に関する情報を記憶する。操作スイッチ７はユーザーによる操作情報をマイコン１４に対して出力し、リモコン受信回路２は、ユーザーが図示しないリモコンを操作することによって送信される送信信号８を受信し、その受信情報をマイコン１４に伝える。
【００２２】
映像信号処理回路３は、外部機器等から入力する映像信号を信号処理して表示制御回路４に出力し、キャラクタメモリ６は、設定画面を生成するための表示キャラクタを記憶する。設定画面生成手段である表示制御回路４は、マイコン１４から受ける表示制御信号ＤＩＣＯの指令に基づいて、映像信号とキャラクタメモリ６から読み込んで生成した設定画面とを切換え、これらの画像信号を、映像信号出力端子５に接続された図示しないモニター機器に出力する。
【００２３】
以上の構成において、図３に示すフローチャートを参照しながらその動作を説明する。
【００２４】
ユーザーが、操作スイッチ７または図示しないリモコン操作によって設定画面表示のコマンドをマイコン１４に送ると、マイコン１４は、表示制御信号ＤＩＣＯにより表示制御回路４を制御して映像信号出力端子５から出力される画像信号の内容を切換える。即ち、表示制御回路４が、映像信号処理回路３から入力する映像信号に換えて、キャラクタメモリ６から読み込んで生成した設定画面を画像信号として出力する。従って、この映像信号出力端子５に接続された図示しないモニター機器には、生成された設定画面が映し出される（ＳＴ１）。
【００２５】
図２（ａ）は、表示制御回路４によって生成される設定画面の一例を示す画面構成図であり、この設定画面２２上には、音量設定項目部２３、音量設定表示部２４、音量設定以外の設定項目部２５、設定画面２２を参照して行なわれる操作の状態を表示する操作ガイド表示部２６、及び各設定項目の内、選択された設定項目を区別するカーソル表示部２７が配設されている。図２（ａ）の例では、音量設定項目部２３が選択され、後述するガイド音声の音量が“音量２”に設定されていることを示している。
【００２６】
この時の音量設定表示部２４の設定値“音量２”は、設定メモリ１５（図１）の音量設定記憶部１５ａに記憶されている値を読み込み（ＳＴ２）、これに基づいて表示される（ＳＴ３）。また、他の設定項目部２５の各内容についても同様に設定メモリ１５内の他の記憶領域に記憶されているそれぞれの設定値に基づいて表示される。
【００２７】
一方、ユーザーが操作する図示しないリモコンには、操作ガイド表示部２６の各（＋）移動キー表示２６ａ、（−）移動キー表示２６ｂ、（＋）設定キー表示２６ｃ、（−）設定キー表示２６ｄ、及び終了キー表示２６ｅに各々対応する操作キーが配設され、ユーザーによってこれらのキーが操作されるのに応じて対応する各表示がオンする。そして（＋）移動キー表示２６ａ又は（−）移動キー表示２６ｂを適当にオンすることにより音量設定項目部２３及び音量設定以外の設定項目部２５の中から所望の設定項目部が選択されてその場所にカーソル表示部２７が移動し、更に（＋）設定キー表示２６ｃ、又は（−）設定キー表示２６ｄをオンすることにより各設定項目部での数値又は動作条件が選択されるように構成されている。
【００２８】
以後、上記した各表示の状態変化を、この状態変化を指示するリモコンの移動キー及び設定キーのリモコン操作に置換えて表現して記述する。
【００２９】
次にユーザーによるリモコン操作により、移動キーを押して音量設定項目２３を選択すべくカーソル表示部２７を移動し、続いて設定キーを押して音量設定値を変更すると、変更した設定値が音量設定表示部２４に表示される（ＳＴ４，５、６）。そして、この変更した音量設定値の表示と共に、マイコン１４からＤ／Ａ変換回路１２に後述するイニシャライズ信号ＩＮＩＴが送られる（ＳＴ７）。このイニシャライズ信号ＩＮＩＴによってＤ／Ａ変換回路１２の変換動作が初期化される。
【００３０】
その後、後述するように音声メモリ１１に記憶された音量レベル設定データと音声データとを指定して呼出すための音量設定コマンドと音声設定コマンドとがＤ／Ａ変換制御信号ＤＡＣＯとして送信され、逐次シーケンスメモリ１６に格納される（ＳＴ８，９）。
【００３１】
尚、音量設定コマンドは、情報信号変換手段であるＤ／Ａ変換回路１２の信号変換内容を設定する設定コマンドに相当し、リモコン及びこのリモコン操作に応じて音量設定値を変更する構成要素が設定情報変更手段に相当する。更に、イニシャライズ信号と音量設定コマンドとを出力するマイコン１４が、変換制御手段に相当する。
【００３２】
そして最後に発音開始コマンドを送ると（ＳＴ１０）、Ｄ／Ａ変換回路１２によって、指定された音量レベルによる指定された音声データのアナログ音声信号への変換が開始される。変換された音声信号は、増幅回路１３によって増幅されてスピーカ１に送られて音声に変換される。音量設定値の変更後、リモコンの終了キーが押されると（ＳＴ１１）、変更後の音量設定値が設定メモリ１５内の音量設定記憶部１５ａに記憶され（ＳＴ１２）、設定画面表示は解除される（ＳＴ１３）。
【００３３】
一方ユーザーがスピーカ１から出力された音声の音量に不満の場合、ＳＴ４からＳＴ１０までの音量設定操作のフローが繰り返される。この場合、音声メモリ１１から読み出された音声データの発音時間の長さに拘わらず、音量設定値の変更に伴なうイニシャライズ信号ＩＮＩＴ、変更後のＤ／Ａ変換制御信号ＤＡＣＯ、及び発音開始コマンドが順次送信され、直ちに新たな音量設定に基づく発音が行なわれる。
【００３４】
ここで、イニシャライズ信号ＩＮＩＴ及びＤ／Ａ変換制御信号ＤＡＣＯの内容について図５のタイミング図を参照しながら更に説明する。まず、マイコン１４は、ユーザーによるリモコン操作により、設定キーが操作されたことを検出すると、その時点でイニシャライズ信号ＩＮＩＴをＤ／Ａ変換回路１２に送信する。Ｄ／Ａ変換回路１２は、このイニシャライズ信号ＩＮＩＴを受けると、Ｄ／Ａ変換中であれば変換動作を停止させると共に、シーケンスメモリ１６に記憶されているコマンドをクリアする。
【００３５】
マイコン１４は、このイニシャライズ信号ＩＮＩＴの送信後、Ｄ／Ａ変換制御信号ＤＡＣＯを送信する。このＤ／Ａ変換制御信号ＤＡＣＯは、選択された音量設定値に対応する音量設定コマンドと音声設定コマンドとを有し、この順にＤ／Ａ変換回路１２に送信される。音量設定コマンド及び音声設定コマンドは、各々図６（ａ），（ｂ）の各表に示す様に、音声メモリ１１内部に格納された特定データのアドレスを指定するものである。
【００３６】
例えば、図６（ａ）に示すように、音量設定コマンドの音量設定アドレスデータは、Ｄ／Ａ変換時の出力信号レベルを指定するもので、指定した各アドレスに格納されている最大発音レベルを指定する音量データがＤ／Ａ変換回路１２に取り込まれることによって、音声出力レベルを設定させるように構成されている。一方、音声設定コマンドの音声設定アドレスデータで指定されるデータは、Ｄ／Ａ変換の対象となる音声データであり、指定した各アドレスに格納されている音声データがＤ／Ａ変換回路１２に取り込まれてアナログ信号に変換される。
【００３７】
これらの音量設定コマンドと音声設定コマンドとがＤ／Ａ変換回路１２に伝送されると、シーケンスメモリ１６へ伝送された順に逐次記憶され、全ての音声設定アドレスが伝送された後、最終的にＤ／Ａ変換制御信号ＤＡＣＯに属する音声開始コマンドが送信される。Ｄ／Ａ変換回路１２は、この音声開始コマンドを受信すると、シーケンスメモリ１６に記憶されているコマンドを先着順に読み込んで出力レベルを設定した後、その順序に従って音声メモリ１１から音声データを読み込み、Ｄ／Ａ変換動作を行なう。
【００３８】
この場合、１コマンドによるＤ／Ａ変換動作が終了した後、次ぎのコマンドの処理に移行するので、例えばシーケンスメモリ１６に音量設定コマンドに続いて複数の音声設定アドレスデータが記憶されている場合、即ち複数の音声を連続的に発音させてフレーズを構成する場合にも対応することができる。
【００３９】
以上のように、ユーザーのリモコン操作により音量設定値が順次選択される場合において、スピーカ１から出力される音声出力の一例を図４の音声出力図を参照しながら説明する。図４（ａ）は、音声の波形を示す音声波形図であり、図４（ｂ）は、音量設定の変化を示す説明図である。
【００４０】
先ず、全音声発音時間がＬで、現在の音量設定値が“０”である場合、時刻ｔ１でリモコンの設定キーを１回押して音量設定値を“１”にすると、音声メモリ１に記憶されている所定の音声データが音量設定値“１”に対応する音量の確認音Ｗ１で発音される。確認音Ｗ１が発音開始された後、ユーザが音量の大きさを判定し、全発音時間Ｌが経過する前の時刻ｔ２で更に設定キーを１回押して音量設定値を“２”に変更すると、その時点で発音中の確認音Ｗ１が中断され、新たに音量設定値“２”に対応する音量の確認音Ｗ２が発音開始される。
【００４１】
その後、全発音時間Ｌ内の時刻ｔ３で再度設定キーが１回押されると、確認音Ｗ２が中段されて音量設定値“３”に対応する音量の確認音Ｗ３が発音開始される。また、確認音Ｗ４のように、時刻ｔ４での音量設定値“２”の設定に伴なって発音開始された後、全発音時間Ｌの時間内に再度設定キーが押されない場合には、確認音Ｗ４の全発音が完全に鳴り終わる。
【００４２】
尚、音量設定表示部２４（図２（ａ））に表示される音量設定内容は、文字情報だけでなく、図２（ｂ）のように音量の違いが把握できるような音声波形キャラクタをキャラクタメモリ６に記憶し、音量設定表示部２４で表示することにより、小音量で発音されて聞き取り難い場合でも出力音声の状態を目視でも把握しやすくなる。また、確認音Ｗ１からＷ４までの各音量設定値は、設定キーが押される度に徐々に音量が増大または減少するように音量設定コマンドを送信することで、１つの設定キーで操作することもできる。
【００４３】
以上のように、実施の形態１の音声出力制御装置２１によれば、設定画面で音量設定する際に、Ｄ／Ａ変換回路１２の変換動作による発音中に、設定キーを押して音量設定を変更した場合でも、直ちに変更後の音量で確認音が発音される。更に、同設定画面上の他の設定項目と同様の設定操作によって、ユーザーに待ち時間を与えることなく音量を設定し、確認することができる。
【００４４】
実施の形態２．
図７は、本発明による実施の形態２の音声出力制御装置３１の構成を示すブロック図である。
【００４５】
尚、同図に示す音声出力制御装置３１が、前記した図１に示す実施の形態１の音声出力制御装置２１に対して主に異なる点は、マイコン３２の構成、及びこのマイコン３２によって実行される処理工程である。このため、共通する部分には同符号を付してその説明を省略し、異なる点を重点的に説明する。
設定情報比較手段に相当する音量設定値比較部３２ａは、マイコン３２の内部にあって、後述するように選択可能な音量設定値のうち、予め設定した主要な設定値と実際に選択された値との比較を行なう。
【００４６】
以上のような本実施の形態２の音声出力制御装置３１の構成において、図８に示すフローチャートを参照しながらその動作を説明する。
【００４７】
先ず、前記した図１の音声出力制御装置２１のフローチャート（図３）と同様に、ステップ１からステップ３を経て図２（ａ）に示す設定画面２２が表示され、音量設定項目部２３が選択された状態で設定キーを押すと（ＳＴ４）、音量設定値が変更され（ＳＴ５）、変更した設定値が音量設定表示部２４に表示される（ＳＴ６）。
【００４８】
次に、設定キーが押されたまま解除されない状態が継続されいるかどうかを判定し（ＳＴ１４）、この状態が継続されていれば現在の音量設定値と予め決められている主要設定値とを比較する（ＳＴ１５）。ここで、主要設定値は音量設定時に選択可能な値のうち、音量の差異が認知できる程度、且つ最小限度数に間引かれた値であり、予めマイコン３２に記憶されている。この主要設定値と選択された音量設定値とが一致しない場合には、音量設定値が次ぎの選択値に設定され（ＳＴ５）、その設定値を表示する（ＳＴ６）。
【００４９】
一方、ＳＴ１４において設定キーが解除された場合、又はＳＴ１５にて主要設定値と選択した音量設定値とが一致した場合には、マイコン３２からＤ／Ａ変換回路１２にイニシャライズ信号ＩＮＩＴが送られる（ＳＴ７）。このイニシャライズ信号ＩＮＩＴによってＤ／Ａ変換回路１２の変換動作が初期化される。その後、音声メモリ１１に記憶された音量レベル設定データと音声データとを指定して呼出すための音量設定コマンドと音声設定コマンドとがＤ／Ａ変換制御信号ＤＡＣＯとして送信され、逐次シーケンスメモリ１６に格納される（ＳＴ８，９）。そして最後に発音開始コマンドを送ると（ＳＴ１０）、Ｄ／Ａ変換回路１２によって、指定された音量レベルによる指定された音声データのアナログ音声信号への変換が開始される。
【００５０】
変換された音声信号は増幅回路３によって増幅されてスピーカ１に送られて音声に変換される。音量設定値の変更後、リモコンの終了キーが押されると（ＳＴ１１）、変更後の音量設定値が設定メモリ１５内の音量設定記憶部１５ａに記憶され（ＳＴ１２）、設定画面表示は解除される（ＳＴ１３）。
【００５１】
ここで、イニシャライズ信号ＩＮＩＴ及びＤ／Ａ変換制御信号ＤＡＣＯの内容について図９のタイミング図を参照しながら更に説明する。まず、マイコン３２は、ユーザーによるリモコン操作により、設定キーが押されたことを検出すると押された状態の間音量設定値を順次変化させ、その設定値が主要音量設定値、例えば“４”、“１１”……と一致した場合、Ｄ／Ａ変換回路１２に対してイニシャライズ信号ＩＮＩＴを送信する。Ｄ／Ａ変換回路１２は、このイニシャライズ信号ＩＮＩＴを受けると、Ｄ／Ａ変換中であれば変換動作を停止させると共に、シーケンスメモリ１６に記憶されているコマンドをクリアする。
【００５２】
マイコン３２は、このイニシャライズ信号ＩＮＩＴの送信後、Ｄ／Ａ変換制御信号ＤＡＣＯを送信する。このＤ／Ａ変換制御信号ＤＡＣＯは、前記した実施の形態１のように選択された音量設定値に対応する音量設定コマンド、音声設定コマンド及び発音開始コマンドを有し、この時の音量設定コマンドで設定された音量での確認音が発音される。そして、最後に設定キーが解除されると、その時点で再度イニシャライズ信号が送信され、その時の音量設定値、例えば“１６”に対応する音量設定コマンドを有するＤ／Ａ変換制御信号ＤＡＣＯが再度送信され、この音量設定コマンドで設定された音量での確認音が発音される。
【００５３】
尚、本実施の形態では、リモコンの設定キーを押し続けることによって音量設定値を順次選択する構成としたが、ジョクダイヤルを用いて回転の方向と速度を検出し、一定の速さ以上で回転させることによって選択できるようにしてもよく、その場合回転方向に従って音量設定値を増減させるように構成してもよい。更に、設定キーが一定時間押された場合に上述の順次選択動作が実行されるように構成してもよい。
【００５４】
以上のように、実施の形態２の音声出力制御装置３１によれば、確認音や案内音声の音量設定値の選択肢が多い場合には、選択した音量設定値が主要設定値と一致した場合のみ発音させるので、設定キーを押し続けて設定値を選択する際に、音量変化が確認できる程度のステップ毎に確認音を鳴らし、且つ設定キーを解除したときの設定値の音量での確認音を即試聴することができる。
【００５５】
実施の形態３．
図１０は、本発明による実施の形態３の音声出力制御装置３６の構成を示すブロック図である。
【００５６】
尚、同図に示す音声出力制御装置３６が、前記した図１に示す実施の形態１の音声出力制御装置２１に対して主に異なる点は、音声メモリ４３のメモリ内容、マイコン３８のプログラム、及びＤ／Ａ変換回路３７、設定メモリ３９の構成である。このため、共通する部分には同符号を付してその説明を省略し、異なる点を重点的に説明する。
【００５７】
図１０において、設定情報記憶手段である設定メモリ３９は、内部にイコライザ設定記憶部３９ａを有し、周波数特性設定に関する情報を記憶する。情報信号変換手段であるＤ／Ａ変換回路３７は、内部にイコライザ回路３７ａを有してＤ／Ａ変換時に出力されるアナログ音声信号のイコライザ特性を調節し、Ｄ／Ａ変換制御信号ＤＡＣＯは、Ｄ／Ａ変換処理と共にイコライザ回路３７ａの動作を制御する。
【００５８】
以上のような本実施の形態３の音声出力制御装置３６の構成において、図１２に示すフローチャートを参照しながらその動作を説明する。
【００５９】
先ず、前記した図１の音声出力制御装置２１のフローチャート（図３）と同様に、ステップ１を経て図１１（ａ）に示す設定画面４０が表示される。この設定画面４０において、４１は音質設定項目部、４２は音質設定表示部をそれぞれ示し、その他の表示内容は、実施の形態１で説明した図２（ａ）の設定画面２２と同じなので同符号を付けて説明を省略する。
【００６０】
尚、図１１（ａ）の例では、音質設定項目部４１が選択され、後述するガイド音声の音質設定値が“音質２”に設定されていることを示している。この時の音量設定表示部４２の音質設定値“音質２”は、設定メモリ３９（図１０）のイコライザ設定記憶部３９ａに記憶されている音質設定値を読み込み（ＳＴ２）、これに基づいて表示される（ＳＴ３）。
【００６１】
次にユーザーによるリモコン操作により、移動キーを押して音質設定項目４１を選択すべくカーソル表示部２７を移動し、続いて設定キーを押して音質設定値を変更すると、変更した設定値が音質設定表示部４２に表示される（ＳＴ４，５、６）。そして、この変更した音質設定値の表示と共に、マイコン３８からＤ／Ａ変換回路３７に後述するイニシャライズ信号ＩＮＩＴが送られる（ＳＴ７）。このイニシャライズ信号ＩＮＩＴによってＤ／Ａ変換回路３７の変換動作が初期化される。
【００６２】
その後、後述するように音声メモリ４３に記憶されたイコライザ設定データと音声データとを指定して呼出すためのイコライザ設定コマンドと音声設定コマンドとがＤ／Ａ変換制御信号ＤＡＣＯとして送信され、逐次シーケンスメモリ１６に格納される（ＳＴ８，９）。
【００６３】
尚、イコライザ設定コマンドは、情報信号変換手段であるＤ／Ａ変換回路３７の信号変換内容を設定する設定コマンドに相当し、リモコン及びこのリモコン操作に応じて音質設定値を変更する構成要素が設定情報変更手段に相当する。更に、イニシャライズ信号とイコライザ設定コマンドとを出力するマイコン３８が、変換制御手段に相当する。
【００６４】
そして最後に発音開始コマンドを送ると（ＳＴ１０）、Ｄ／Ａ変換回路３７によって、指定されたイコライザ特性による指定された音声データのアナログ音声信号への変換が開始される。変換された音声信号は、増幅回路１３によって増幅されてスピーカ１へ送られて音声に変換される。音質設定値の変更後、リモコンの終了キーが押されると（ＳＴ１１）、変更後の音質設定値がイコライザ設定記憶部３９ａに記憶され（ＳＴ１２）、設定画面表示は解除される（ＳＴ１３）。
【００６５】
ここで、イニシャライズ信号ＩＮＩＴ及びＤ／Ａ変換制御信号ＤＡＣＯの内容について図１４のタイミング図を参照しながら更に説明する。まず、マイコン３８は、ユーザーによるリモコン操作により、設定キーが操作されたことを検出すると、その時点でイニシャライズ信号ＩＮＩＴをＤ／Ａ変換回路３７に送信する。Ｄ／Ａ変換回路３７は、このイニシャライズ信号ＩＮＩＴを受けると、Ｄ／Ａ変換中であれば変換動作を停止させると共に、シーケンスメモリ１６に記憶されているコマンドをクリアする。
【００６６】
マイコン３８は、このイニシャライズ信号ＩＮＩＴの送信後、Ｄ／Ａ変換制御信号ＤＡＣＯを送信する。このＤ／Ａ変換制御信号ＤＡＣＯは、選択された音質設定値に対応するイコライザ設定コマンドと音声設定コマンドとを有し、この順にＤ／Ａ変換回路３７に送信される。イコライザ設定コマンド及び音声設定コマンドは、各々図１５（ａ），（ｂ）の各表に示す様に、音声メモリ４３内部に格納された特定データのアドレスを指定するものである。
【００６７】
例えば、図１５（ａ）に示すように、イコライザ設定コマンドのイコライザ設定アドレスデータは、Ｄ／Ａ変換時のイコライザ回路３７ａの周波数特性を指定するもので、指定した各アドレスに格納されている周波数特性データがＤ／Ａ変換回路３７に取り込まれることによって、その周波数特性を設定させるように構成されている。一方、音声設定コマンドの音声設定アドレスデータで指定されるデータは、Ｄ／Ａ変換の対象となる音声データであり、指定した各アドレスに格納されている音声データがＤ／Ａ変換回路３７に取り込まれてアナログ信号に変換される。
【００６８】
これらのイコライザ設定コマンドと音声設定コマンドとがＤ／Ａ変換回路３７に伝送されると、シーケンスメモリ１６へ伝送された順に逐次記憶され、全ての音声設定アドレスデータが伝送された後、最終的にＤ／Ａ変換制御信号ＤＡＣＯに属する音声開始コマンドが送信される。Ｄ／Ａ変換回路３７は、この音声開始コマンドを受信すると、シーケンスメモリ１６に記憶されているコマンドを先着順に読み込んでイコライザ特性を設定した後、その順序に従って音声メモリ４３から音声データを読み込み、Ｄ／Ａ変換動作を行なう。
【００６９】
以上のように、ユーザーのリモコン操作により音質設定値が順次選択される場合において、スピーカ１から出力される音声出力の一例を図１３の音声出力図を参照しながら説明する。図１３（ａ）は、音声の波形を示す音声波形図であり、図１３（ｂ）は、音質設定の変化を示す説明図である。
【００７０】
先ず、時刻ｔ１でリモコンの設定キーを１回押して音量設定値を“１”にすると、音声メモリ４３に記憶されている所定の音声データが音質設定値“１”に対応する周波数特性の確認音ＥＱ１で発音される。確認音ＥＱ１が発音開始された後、ユーザがその音質をチェックし、全発音時間Ｌが経過する前の時刻ｔ２で更に設定キーを１回押して音質設定値を“２”に変更すると、その時点で発音中の確認音ＥＱ１が中断され、新たに音質設定値“２”に対応する周波数特性を有する確認音ＥＱ２が発音開始される。
【００７１】
その後、全発音時間Ｌ内の時刻ｔ３で再度設定キーが１回押されると、確認音ＥＱ２が中段されて音質設定値“３”に対応する周波数特性を有する確認音ＥＱ３が発音開始される。また、確認音ＥＱ４のように、時刻ｔ４での音質設定値“２”の設定に伴なって発音開始された後、全発音時間Ｌの時間内に再度設定キーが押されない場合には、確認音ＥＱ４の全発音が完全に鳴り終わる。
【００７２】
尚、音質設定表示部４２（図１１（ａ））に表示される音質設定内容は、数値情報だけでなく、図１１（ｂ）のようにイコライザ設定値に応じた周波数特性のイメージキャラクタをキャラクタメモリ６に記憶し、音質設定表示部４２で表示してもよいし、更には“クリア”、“ノーマル”、“シャープ”のように周波数特性が容易に連想される文字を表示してもよい。
【００７３】
以上のように、実施の形態３の音声出力制御装置３６によれば、発音される確認音や案内音の音質が選択でき、更に設定画面で音質設定する際に、Ｄ／Ａ変換回路３７の変換動作による発音中に、設定キーを押して音質設定を変更した場合でも、直ちに変更後の音質で確認音や案内音が発音される。
【００７４】
実施の形態４．
図１６は、本発明による実施の形態４の音声出力制御装置４６の構成を示すブロック図である。本実施の形態では、異なるフォルマント成分を持つ複数の音声を記憶しておき、これらの中から所望の音声を選択して発音させることが可能な音声出力制御装置に関するものである。
【００７５】
同図に示す音声出力制御装置４６が、前記した図１に示す実施の形態１の音声出力制御装置２１に対して主に異なる点は、音声メモリ４９のメモリ内容、マイコン４７のプログラム、及び設定メモリ４８の構成である。このため、共通する部分には同符号を付してその説明を省略し、異なる点を重点的に説明する。
【００７６】
図１６において、音声出力制御装置４６は、設定情報記憶手段である設定メモリ４８の内部にボイス設定に関する情報を記憶するボイス設定記憶部４８ａを有する。以上のような本実施の形態４の音声出力制御装置４６の構成において、図１８に示すフローチャートを参照しながらその動作を説明する。
【００７７】
先ず、前記した図１の音声出力制御装置２１のフローチャート（図３）と同様に、ステップ１を経て図１７に示す設定画面５０が表示される。この設定画面５０において、５１はボイス設定項目部、５２はボイス設定表示部をそれぞれ示し、その他の表示内容は、実施の形態１で説明した図２（ａ）の設定画面２２と同じなので同符号を付けて説明を省略する。
【００７８】
尚、図１７の例では、ボイス設定項目部５１が選択され、後述するガイド音声ボイスが“女性”に設定されていることを示している。この時のボイス設定表示部５２の設定値は、設定メモリ４８（図１６）のボイス設定記憶部４８ａに記憶されている値を読み込み（ＳＴ２）、これに基づいて表示される（ＳＴ３）。
【００７９】
次にユーザーによるリモコン操作により、移動キーを押してボイス設定項目５１を選択すべくカーソル表示部２７を移動し、続いて設定キーを押してボイス設定値を変更すると、変更した設定値がボイス設定表示部５２に表示される（ＳＴ４，５、６）。そして、この変更したボイス設定値の表示と共に、マイコン４７からＤ／Ａ変換回路１２に後述するイニシャライズ信号ＩＮＩＴが送られる（ＳＴ７）。このイニシャライズ信号ＩＮＩＴによって、Ｄ／Ａ変換回路１２の変換動作が初期化される。
【００８０】
その後、後述するように音声メモリ４９に記憶された音声データを指定して呼出すためのボイス設定コマンドと音声設定コマンドとがＤ／Ａ変換制御信号ＤＡＣＯとして送信され、逐次シーケンスメモリ１６に格納される（ＳＴ８，９）。
【００８１】
尚、ボイス設定コマンドは、情報信号変換手段であるＤ／Ａ変換回路１２の信号変換内容を設定する設定コマンドに相当し、リモコン及びこのリモコン操作に応じてボイス設定値を変更する構成要素が設定情報変更手段に相当する。更に、イニシャライズ信号とボイス設定コマンドとを出力するマイコン４７が、変換制御手段に相当する。
【００８２】
そして最後に発音開始コマンドを送ると（ＳＴ１０）、Ｄ／Ａ変換回路１２によるアナログ音声信号への変換が開始され、変換された音声信号は、増幅回路１３によって増幅されてスピーカ１へ送られて音に変換される。ボイス設定値の変更後、リモコン操作によって終了キーが押されると（ＳＴ１１）、変更後のボイス設定値がボイス設定記憶部４８ａに記憶され（ＳＴ１２）、設定画面表示は解除される（ＳＴ１３）。
【００８３】
ここで、イニシャライズ信号ＩＮＩＴ及びＤ／Ａ変換制御信号ＤＡＣＯの内容について図２０のタイミング図を参照しながら更に説明する。まず、マイコン４７は、ユーザーによるリモコン操作により、設定キーが操作されたことを検出すると、その時点でイニシャライズ信号ＩＮＩＴをＤ／Ａ変換回路１２に送信する。Ｄ／Ａ変換回路１２は、このイニシャライズ信号ＩＮＩＴを受けると、Ｄ／Ａ変換中であれば変換動作を停止させると共に、シーケンスメモリ１６に記憶されているコマンドをクリアする。
【００８４】
マイコン４７は、このイニシャライズ信号ＩＮＩＴの送信後、Ｄ／Ａ変換制御信号ＤＡＣＯを送信する。このＤ／Ａ変換制御信号ＤＡＣＯは、選択されたボイス設定値に対応するボイス設定コマンドと音声設定コマンドとを有し、この順にＤ／Ａ変換回路１２に送信される。
【００８５】
ボイス設定コマンド及び音声設定コマンドは、図２１の表に示す様に、例えばボイス設定値が“女性”であればボイス設定アドレスデータで指定されるデータは女性による音声データが収録された領域を指定し、ボイス設定値が“男性”であれば男性による音声データが収録された領域を指定する。従って、これに続いて送られる音声設定コマンドが同じアドレスを指定していても、発音される音声を“女性”或いは“男性”と発音し分けることができるようになっている。
【００８６】
これらのボイス設定コマンドと音声設定コマンドとがＤ／Ａ変換回路１２に伝送されると、シーケンスメモリ１６へ伝送された順に逐次記憶され、全ての音声設定アドレスデータが伝送された後、最終的にＤ／Ａ変換制御信号ＤＡＣＯに属する音声開始コマンドが送信される。Ｄ／Ａ変換回路１２は、この音声開始コマンドを受信すると、シーケンスメモリ１６に記憶されているコマンドを先着順に読み込み、その順序に従って音声メモリ４９からデータを読み込み、Ｄ／Ａ変換動作を行なう。
【００８７】
以上のように、ユーザーのリモコン操作によりボイス設定値が順次選択される場合において、スピーカ１から出力される音声出力の一例を図１９の音声出力図を参照しながら説明する。図１９（ａ）は、音声の波形を示す音声波形図であり、図１９（ｂ）は、ボイス設定の変化を示す説明図である。
【００８８】
先ず、時刻ｔ１でリモコンの設定キーを１回押してボイス設定値を“１”にすると、音声メモリ１に記憶されている所定の音声データがボイス設定値“１”に対応する女性の声のフレーズＶ１が発音される。フレーズＶ１が発音開始された後、ユーザがその音声をチェックし、全発音時間Ｌが経過する前の時刻ｔ２で更に設定キーを１回押してボイス設定値を“２”に変更すると、その時点で発音中のフレーズＶ１が中断され、新たにボイス設定値“２”に対応する男性の音声でフレーズＶ２が発音開始される。このボイス設定値は、設定キーを押す毎に変換され、全発音時間Ｌの時間内に再度設定キーが押されない場合には、その時のスレーズ音の全発音が完全に鳴り終わる。
【００８９】
尚、各ボイス設定値は、更にバリエーションを加え、より多くのフォルマント成分の異なるボイス設定値に増やしても良く、また年齢などで区別されたボイス設定が選択できるようにしても良い。
【００９０】
以上のように、実施の形態４の音声出力制御装置４６によれば、確認音や案内音の同じフレーズ部分で音声比較しながら設定画面でボイス設定できると共に、発音中に、設定キーを押してボイス設定を変更した場合でも、直ちに変更後のボイスで同じフレーズ部分から確認音や案内音が発音される。
【００９１】
【発明の効果】
請求項１の音声出力制御装置によれば、出力される音声を調整する際に、調整後の音声が直ち出力されるので、ユーザーは、待ち時間を介在することなく、音声の調整作業を円滑に実行することができる。
【００９２】
請求項２の音声出力制御装置によれば、請求項１の効果に加え、出力される音声の音量を調整することができる。
【００９３】
請求項３の音声出力制御装置によれば、請求項１の効果に加え、出力される音声の音質が選択できるので、スピーカから発せられた音声が周囲の筐体等に与える共鳴などの影響も確認しながら最良の音声に調整することができる。
【００９４】
請求項４の音声出力制御装置によれば、請求項１の効果に加え、増幅手段の増幅率が固定されるため、この増幅手段を構成する部品点数が削減でき、その分コストダウンが図れる。
【００９５】
請求項５及び６の音声出力制御装置によれば、請求項１の効果に加え、出力される音声を男性、女性、或いは年齢の異なる声等の中から所望の音声に設定することができる。
【００９６】
請求項７の音声出力制御装置によれば、請求項１の効果に加え、同じ設定画面上に配置された他の設定項目と同じ操作で設定することができるため、設定画面上での操作性を向上させることができる。
【００９７】
請求項８の音声出力制御装置によれば、請求項１の効果に加え、連続的に設定コマンドを選択する場合、主要設定値と一致した場合のみその設定コマンドによる音声が発音されるため、選択途中における不要な発音が避けられ、最小限の発音で効果的に音声を調整することができる。
【００９８】
請求項９の音声出力制御装置によれば、請求項１の効果に加え、出力音声が小さい状態で、或いはユーザーがスピーカから離れた位置で音声調整する場合にも効率的に調整できる。
【図面の簡単な説明】
【図１】  本発明による実施の形態１の音声出力制御装置２１の構成を示すブロック図である。
【図２】  （ａ）は実施の形態１において、表示制御回路によって生成される設定画面の一例を示す画面構成図であり、（ｂ）は音量設定項目部の別の表示例を示す図である。
【図３】  音声出力制御装置２１の動作を示すフローチャートである。
【図４】  （ａ）は実施の形態１において、音声の波形を示す音声波形図であり、（ｂ）は音量設定の変化を示す説明図である。
【図５】  実施の形態１におけるイニシャライズ信号ＩＮＩＴ及びＤ／Ａ変換制御信号ＤＡＣＯの出力タイミングを示すタイミング図である。
【図６】  （ａ）は実施の形態１において、音量設定コマンドの内容を示す表であり、（ｂ）は音声設定コマンドの内容を示す表である。
【図７】  本発明による実施の形態２の音声出力制御装置３１の構成を示すブロック図である。
【図８】  音声出力制御装置３１の動作を示すフローチャートである。
【図９】  実施の形態２におけるイニシャライズ信号ＩＮＩＴ及びＤ／Ａ変換制御信号ＤＡＣＯの出力タイミングを示すタイミング図である。
【図１０】  本発明による実施の形態３の音声出力制御装置３６の構成を示すブロック図である。
【図１１】  （ａ）は実施の形態３において、表示制御回路によって生成される設定画面の一例を示す画面構成図であり、（ｂ）は音量設定項目部の別の表示例を示す図である。
【図１２】  音声出力制御装置３６の動作を示すフローチャートである。
【図１３】  （ａ）は実施の形態３において、音声の波形を示す音声波形図であり、（ｂ）は音質設定の変化を示す説明図である。
【図１４】  実施の形態３におけるイニシャライズ信号ＩＮＩＴ及びＤ／Ａ変換制御信号ＤＡＣＯの出力タイミングを示すタイミング図である。
【図１５】  （ａ）は実施の形態３において、イコライザ設定コマンドの内容を示す表であり、（ｂ）は音声設定コマンドの内容を示す表である。
【図１６】  本発明による実施の形態４の音声出力制御装置４６の構成を示すブロック図である。
【図１７】  実施の形態４において、表示制御回路によって生成される設定画面の一例を示す画面構成図である。
【図１８】  音声出力制御装置４６の動作を示すフローチャートである。
【図１９】  （ａ）は実施の形態４において、音声の波形を示す音声波形図であり、図１９（ｂ）は、ボイス設定の変化を示す説明図である。
【図２０】  実施の形態４におけるイニシャライズ信号ＩＮＩＴ及びＤ／Ａ変換制御信号ＤＡＣＯの出力タイミングを示すタイミング図である。
【図２１】  ボイス設定コマンド及び音声設定コマンドの内容を示す表である。
【図２２】  従来の音声出力制御装置６１の構成を示すブロック図である。
【符号の説明】
１  スピーカ、  ２  リモコン受信回路、  ３  映像信号処理回路、  ４  表示制御回路、  ５  映像信号出力端子、  ６  キャラクタメモリ、  ７  操作スイッチ、  ８  送信信号、  １１，４３，４９  音声メモリ、  １２，３７  Ｄ／Ａ変換回路、  １３  増幅回路、  １４，３８，４７  マイコン、  １５  設定メモリ、  １５ａ  音量設定記憶部、  １６  シーケンスメモリ、  ２１，３１，３６，４６  音声出力制御装置、  ２２  設定画面、  ２３  音量設定項目部、  ２４  音量設定表示部、  ２５  設定項目部、  ２６  操作ガイド表示部２６、  ２６ａ  （＋）移動キー表示、  ２６ｂ  （−）移動キー表示、  ２６ｃ（＋）設定キー表示、  ２６ｂ  （−）設定キー表示、  ２６ｅ  終了キー表示、  ２７  カーソル表示部、  ３２  マイコン、  ３２ａ  音量設定値比較部、  ３７  Ｄ／Ａ変換回路、  ３９  設定メモリ、  ３９ａ  イコライザ設定記憶部、  ４０  設定画面、  ４１  音質設定項目部、  ４２  音質設定表示部、４８  設定メモリ、  ４８ａ  ボイス設定記憶部、  ５１  ボイス設定項目部、  ５２  ボイス設定表示部。
【図１】
0004672152.tif 000002
【図２】
0004672152.tif 000003
【図３】
0004672152.tif 000004
【図４】
0004672152.tif 000005
【図５】
0004672152.tif 000006
【図６】
0004672152.tif 000007
【図７】
0004672152.tif 000008
【図８】
0004672152.tif 000009
【図９】
0004672152.tif 000010
【図１０】
0004672152.tif 000011
【図１１】
0004672152.tif 000012
【図１２】
0004672152.tif 000013
【図１３】
0004672152.tif 000014
【図１４】
0004672152.tif 000015
【図１５】
0004672152.tif 000016
【図１６】
0004672152.tif 000017
【図１７】
0004672152.tif 000018
【図１８】
0004672152.tif 000019
【図１９】
0004672152.tif 000020
【図２０】
0004672152.tif 000021
【図２１】
0004672152.tif 000022
【図２２】
0004672152.tif 000023